(57)【特許請求の範囲】
【請求項１】
容器本体の開口部に取着されるキャップ本体に、容器本体に内溶液を出し入れするための液流通口を備えてなるキャップであって、
キャップ本体の液流通口の外縁の一部に揺動自在に結合されて該液流通口を開閉可能とする振子バルブを有し、この振子バルブの下端寄りに液流出路を形成し、
容器本体を一定角度以上下向きに傾ける状態では、液流通口を振子バルブにより閉じ、振子バルブの液流出路から内容液を注出可能とし、
容器本体を正立する状態では、液流通口を振子バルブにより開き、液流通口からつめかえ液を注入可能とすることを特徴とするキャップ。
【請求項２】
前記キャップ本体の振子バルブが結合される部分の側傍で、振子バルブの反対側に、空気置換口を備えてなる請求項１記載のキャップ。
【発明の詳細な説明】
【０００１】
【発明の属する技術分野】
本発明は洗剤容器等のためのキャップに関する。
【０００２】
【従来の技術】
従来、洗剤容器等のためのキャップとして、容器本体の開口部に取着されるキャップ本体に、容器本体に内溶液を出し入れするための液流通口を備えてなるものがある。そして、洗剤容器等にあっては、キャップ本体の液流通口から内容液を注出して使用し、全ての内容液の使用後には、その空容器の再使用を図るため、可撓袋等に充填されたつめかえ液をキャップ本体の液流通口から容器本体に注入させて再使用することとしている。
【０００３】
【発明が解決しようとする課題】
しかしながら、従来技術には以下の問題点がある。
▲１▼容器の内容液を液流通口から注出させる使用時には、液流通口の開口面積が大きいと、容器を傾けていったときに内容液が一度にどっと出てしまい、使いづらい。
【０００４】
▲２▼上記▲１▼を考慮して、液流通口の開口面積を小さめにすると、内容液のつめかえ時に、つめかえ液を液流通口から注入しにくい。
【０００５】
本発明の課題は、内容液の注出作業性とつめかえ液の注入作業性を共に向上することにある。
【０００６】
【課題を解決するための手段】
請求項１に記載の本発明は、容器本体の開口部に取着されるキャップ本体に、容器本体に内溶液を出し入れするための液流通口を備えてなるキャップであって、キャップ本体の液流通口の外縁の一部に揺動自在に結合されて該液流通口を開閉可能とする振子バルブを有し、この振子バルブの下端寄りに液流出路を形成し、容器本体を一定角度以上下向きに傾ける状態では、液流通口を振子バルブにより閉じ、振子バルブの液流出路から内容液を注出可能とし、容器本体を正立する状態では、液流通口を振子バルブにより開き、液流通口からつめかえ液を注入可能とするようにしたものである。
【０００７】
請求項２に記載の本発明は、請求項１の発明において更に、前記キャップ本体の振子バルブが結合される部分の側傍で、振子バルブの反対側に、空気置換口を備えてなるようにしたものである。
【００１０】
【作用】
請求項１に記載の本発明によれば下記(1)、(2)の作用がある。
(1)容器の内容液を液流通口から注出させる使用時には、容器本体を一定角度以上下向きに傾けると、振子バルブが重力の作用下で液流通口を閉じる閉じ位置に設定され、振子バルブに設けられている小開口面積の液流出路から内容液が注出せしめられるものとなる。内容液の出口が小開口面積の液流出路になるため、この小開口の液流出路にて流量規制でき粘度の低い液でも一度にどっと出ることなく、内容液を安定的に注出できる。
【００１１】
(2)内容液のつめかえ時には、容器本体を正立にすることにより、振子バルブが重力の作用下で大開口面積の液流通口を開く開き位置に設定される。つめかえ液の入口が大開口面積の液流通口になるため、この大開口の液流通口からつめかえ液を容易に注入できる。
【００１２】
請求項２に記載の本発明によれば下記(3)の作用がある。
(3)キャップ本体の振子バルブが結合される部分の側傍で、振子バルブの反対側に、空気置換口を備えた。従って、上記(1)の内容液の注出時に、小開口の液流出路の全域が内容液の流路となっても、振子バルブの上部の空気置換口から容器本体の内部に空気を導入し、液流出路からの液の注出の脈動を防ぎ、内容液を安定的に注出できる。
【００１３】
【発明の実施の形態】
図１はキャップの第１実施形態を示す模式図、図２は内容液の注出状態を示す模式図、図３はつめかえ液の注入状態を示す模式図、図４はキャップの第２実施形態を示す模式図、図５はキャップの第３実施形態を示す模式図である。
【００１４】
（第１実施形態）（図１〜図３）
洗剤容器等の容器１は、図１に示す如く、容器本体１Ａにキャップ１０を被着される。キャップ１０は、容器本体１Ａの開口部２に嵌着（もしくは螺着）等により取着されるキャップ本体１１と、キャップ本体１１に螺着（もしくは嵌着）等により着脱されるカバーキャップ１２とを有する。カバーキャップ１２は、キャップ本体１１から後述するようにして注出される内容液を受けて計量する計量キャップとして機能できる。
【００１５】
キャップ本体１１は、容器本体１Ａの開口部２に取着される外筒部２１と、外筒部２１の上端部を塞ぐ天面部２２と、天面部２２の内周に続く内筒部２３と、天面部２２の上面に設けられてカバーキャップ１２が螺着され得る雄ねじ部２４と、内筒部２３の内部で容器表面側から容器背面側に向けて下り勾配をなしてキャップ本体１１の内外を仕切る仕切り部２５と、仕切り部２５から下方に延びる筒状のバルブ受２６と、仕切り部２５から上方に延びてバルブ受２６に連なる筒状のスパウト口２７とを有する。
【００１６】
キャップ本体１１のバルブ受２６は、キャップ本体１１の内部に臨む下端部に内容液を出し入れするための液流通口２６Ａを形成し、この液流通口２６Ａを容器表面側から容器背面側に向けて上り勾配をなす傾斜端面としている。ここで、上り勾配とは、容器を正立にしたときの、振子バルブの面を基準面とし、その基準面からバルブ受け方向への傾きとする。
【００１７】
本件では、この上り勾配は10°〜70°が好ましい。
上り勾配が10°未満では、液流出路２８Ａからの液流出量が少なく吐出性が悪く、容器の液残量が多くなる。また、上り勾配が70°より大きい場合、液流出路２８Ａからの液流出量が多く、吐出の勢いが強いため吐出性が悪い。
【００１８】
キャップ本体１１のスパウト口２７は、キャップ本体１１の外部に臨む上端部の容器表面側から内容液を注出するようにバルブ受２６の液流通口２６Ａから取入れた内容液を案内可能としている。尚、スパウト口２７は、その容器背面側に後述する液戻しスリット２７Ａを備えている。
【００１９】
キャップ本体１１は、バルブ受２６に設けた液流通口２６Ａの外縁で、容器背面側の一部に、振子バルブ２８を揺動自在に結合している。振子バルブ２８は、振子バルブ２８と一体もしくは別体の支持ピン２９をバルブ受２６の外縁に設けた支持孔部（不図示）に係入され、重力の作用下で自重を利用して揺動自在とされている。振子バルブ２８は、その揺動位置の変化によりバルブ受２６の液流通口２６Ａまわりの傾斜端面に接離して液流通口２６Ａを開閉可能とするとともに、振子バルブの下端寄りに小開口面積の液流出路２８Ａを形成している。これにより、キャップ１０にあっては、(a) 容器本体１１を下向きに傾ける状態では、液流通口２６Ａを振子バルブ２８により閉じ、振子バルブ２８の液流出路２８Ａから内容液を注出可能とし、(b) 容器本体１１を正立する状態では、液流通口２６Ａを振子バルブ２８により開き、液流通口２６Ａからつめかえ液を注入可能とする。
【００２０】
本件では、この傾きは10°〜70°が好ましい。
傾きが10°未満では、液流出路２８Ａからの液流出量が少なく吐出性が悪く、容器の液残量が多くなる。また、傾きが70°より大きい場合、液流出路２８Ａからの液流出量が多く、吐出の勢いが強いため吐出性が悪い。
【００２１】
キャップ本体１１は、バルブ受２６の周囲に形成される仕切り部２５の容器背面側、換言すれば、バルブ受２６の外縁の振子バルブ２８が結合された部分の側傍で該振子バルブ２８の反対側に、キャップ本体１１を貫通する空気置換口３０を設けている。この空気置換口３０は、キャップ本体１１を傾けたスパウト口２７からの液注出後にキャップ本体１１を正立に戻すとき、スパウト口２７の液戻しスリット２７Ａから流出する戻り液をキャップ本体１１の内部に戻す液戻し口としても機能する。
【００２２】
（第２実施形態）（図４）
第２実施形態は、第１実施形態のキャップ１０のうち、キャップ本体１１をキャップ本体３１に変形したものである。キャップ本体３１がキャップ本体１１と異なる点は、振子バルブ２８をキャップ本体３１と一体成形し、振子バルブ２８をキャップ本体３１のバルブ受２６に薄肉ヒンジ部３２を介して揺動自在に結合したことのみにある。
【００２３】
（第３実施形態）（図５）
第３実施形態は、第１実施形態のキャップ１０のうち、キャップ本体１１をキャップ本体４１に変形したものである。キャップ本体４１がキャップ本体１１と異なる点は、仕切り部２５の上のスパウト口２７を撤去するとともに、振子バルブ２８をキャップ本体４１と一体成形し、振子バルブ２８をキャップ本体４１のバルブ受２６に薄肉ヒンジ部４２を介して揺動自在に結合したことのみにある。
【００２４】
以上、本発明の実施の形態を図面により詳述したが、本発明の具体的な構成はこの実施の形態に限られるものではなく、本発明の要旨を逸脱しない範囲の設計の変更等があっても本発明に含まれる。例えば、本発明の振子バルブに設ける液流出路は、振子バルブの内部に複数穿設しても良く、或いは振子バルブの外縁に切欠形成しても良い。
【００２５】
【発明の効果】
以上のように本発明によれば、内容液の注出作業性とつめかえ液の注入作業性を共に向上することができる。
【図面の簡単な説明】
【図１】図１はキャップの第１実施形態を示す模式図である。
【図２】図２は内容液の注出状態を示す模式図である。
【図３】図３はつめかえ液の注入状態を示す模式図である。
【図４】図４はキャップの第２実施形態を示す模式図である。
【図５】図５はキャップの第３実施形態を示す模式図である。
【符号の説明】
１Ａ  容器本体
２  開口部
１０  キャップ
１１、３１、４１  キャップ本体
２６Ａ  液流通口
２８  振子バルブ
２８Ａ  液流出路
３０  空気置換口
【図１】
0003675638.tif 000002
【図２】
0003675638.tif 000003
【図３】
0003675638.tif 000004
【図４】
0003675638.tif 000005
【図５】
0003675638.tif 000006